(57)【要約】【課題】盛況度が高い箇所であるか否かがユーザにとって一目瞭然となるように、コンテンツを提供することができるコンテンツサーバ装置、コンテンツ提供装置、コンテンツ提供システム、コンテンツ提供方法、及びコンテンツ提供プログラムを提供する。【解決手段】コンテンツサーバ装置は、コンテンツのチャプター毎に特徴量を定める設定部と、チャプター毎に定められた特徴量に基づいて、特徴量のグラフを生成する生成部と、コンテンツと、特徴量のグラフと、を提供する提供部と、を備える。生成部は、所定閾値以上の特徴量に基づいて、特徴量のグラフを生成してもよい。【選択図】図１
2014207612.tif 000002
【特許請求の範囲】
【請求項１】
コンテンツのチャプター毎に特徴量を定める設定部と、
前記チャプター毎に定められた前記特徴量に基づいて、前記特徴量のグラフを生成する生成部と、
前記コンテンツと、前記特徴量のグラフと、を提供する提供部と、
を備えることを特徴とするコンテンツサーバ装置。
【請求項２】
前記生成部は、所定閾値以上の前記特徴量に基づいて、前記特徴量のグラフを生成することを特徴とする請求項１に記載のコンテンツサーバ装置。
【請求項３】
前記コンテンツのうちで前記特徴量が上位にある前記チャプターを示す画像を、前記特徴量のグラフに付加する付加部
を備えることを特徴とする請求項１又は請求項２に記載のコンテンツサーバ装置。
【請求項４】
前記設定部は、投稿数に基づいて、前記特徴量を定めることを特徴とする請求項１から請求項３のいずれか一項に記載のコンテンツサーバ装置。
【請求項５】
前記設定部は、前記コンテンツの再生時間を等分することにより、前記コンテンツに前記チャプターを定めることを特徴とする請求項１から請求項４のいずれか一項に記載のコンテンツサーバ装置。
【請求項６】
前記生成部は、前記コンテンツのうちで最上位の前記特徴量に基づいて、前記特徴量のグラフの上限値を定めることを特徴とする請求項１から請求項５のいずれか一項に記載のコンテンツサーバ装置。
【請求項７】
前記提供部は、予め定められた操作入力を示す情報が入力された場合、提供中の前記チャプターをスキップし、前記コンテンツのうちで前記特徴量が上位にある他の前記チャプターを提供することを特徴とする請求項１から請求項６のいずれか一項に記載のコンテンツサーバ装置。
【請求項８】
コンテンツのチャプター毎に特徴量を定める設定部と、前記チャプター毎に定められた前記特徴量に基づいて、前記特徴量のグラフを生成する生成部と、前記コンテンツと、前記特徴量のグラフと、を提供させる提供部と、を有するコンテンツサーバ装置から、前記コンテンツを示す情報と、前記特徴量のグラフを示す情報と、を受信する通信部と、
受信した前記コンテンツと、受信した前記特徴量のグラフと、を提供するコンテンツ提供部と、
を備えることを特徴とするコンテンツ提供装置。
【請求項９】
コンテンツのチャプター毎に特徴量を定める設定部と、
前記チャプター毎に定められた前記特徴量に基づいて、前記特徴量のグラフを生成する生成部と、
前記コンテンツを示す情報と、前記特徴量のグラフを示す情報と、を送信する提供部と、
前記コンテンツを示す情報と、前記特徴量のグラフを示す情報と、を受信する通信部と、
受信した前記コンテンツと、受信した前記特徴量のグラフと、を提供するコンテンツ提供部と、
を備えることを特徴とするコンテンツ提供システム。
【請求項１０】
コンテンツサーバ装置におけるコンテンツ提供方法であって、
設定部が、コンテンツのチャプター毎に特徴量を定めるステップと、
生成部が、前記チャプター毎に定められた前記特徴量に基づいて、前記特徴量のグラフを生成するステップと、
提供部が、前記コンテンツと、前記特徴量のグラフと、を提供するステップと、
を有することを特徴とするコンテンツ提供方法。
【請求項１１】
コンテンツサーバ装置のコンピュータに、
コンテンツのチャプター毎に特徴量を定める手順と、
前記チャプター毎に定められた前記特徴量に基づいて、前記特徴量のグラフを生成する手順と、
前記コンテンツと、前記特徴量のグラフと、を提供する手順と、
を実行させるためのコンテンツ提供プログラム。
【発明の詳細な説明】
【技術分野】
【０００１】
本発明は、コンテンツサーバ装置、コンテンツ提供装置、コンテンツ提供システム、コンテンツ提供方法、及びコンテンツ提供プログラムに関する。
【背景技術】
【０００２】
素材動画を視聴したユーザによるコメント数に基づいて、盛況度が高い素材動画を組み合わせることにより、動画コンテンツを合成する動画合成システム（装置）が、特許文献１に開示されている。
【先行技術文献】
【特許文献】
【０００３】
【特許文献１】特開２０１２−１８２７２４号公報
【発明の概要】
【発明が解決しようとする課題】
【０００４】
しかしながら、特許文献１に開示された装置は、盛況度が高い箇所であるか否かがユーザにとって一目瞭然となるようには、コンテンツを提供することができない、という問題がある。
【０００５】
本発明は、前記の点に鑑みてなされたものであり、盛況度が高い箇所であるか否かがユーザにとって一目瞭然となるように、コンテンツを提供することができるコンテンツサーバ装置、コンテンツ提供装置、コンテンツ提供システム、コンテンツ提供方法、及びコンテンツ提供プログラムを提供することを目的とする。
【課題を解決するための手段】
【０００６】
本発明の一態様は、コンテンツのチャプター毎に特徴量を定める設定部と、前記チャプター毎に定められた前記特徴量に基づいて、前記特徴量のグラフを生成する生成部と、前記コンテンツと、前記特徴量のグラフと、を提供する提供部と、を備えることを特徴とするコンテンツサーバ装置である。
【０００７】
また、本発明の一態様は、前記生成部が、所定閾値以上の前記特徴量に基づいて、前記特徴量のグラフを生成することを特徴とするコンテンツサーバ装置である。
【０００８】
また、本発明の一態様は、前記コンテンツのうちで前記特徴量が上位にある前記チャプターを示す画像を、前記特徴量のグラフに付加する付加部を備えることを特徴とするコンテンツサーバ装置である。
【０００９】
また、本発明の一態様は、前記設定部が、前記投稿数に基づいて、前記特徴量を定めることを特徴とするコンテンツサーバ装置である。
【００１０】
また、本発明の一態様は、前記設定部が、前記コンテンツの再生時間を等分することにより、前記コンテンツに前記チャプターを定めることを特徴とするコンテンツサーバ装置である。
【００１１】
また、本発明の一態様は、前記生成部が、前記コンテンツのうちで最上位の前記特徴量に基づいて、前記特徴量のグラフの上限値を定めることを特徴とするコンテンツサーバ装置である。
【００１２】
また、本発明の一態様は、前記提供部が、予め定められた操作入力を示す情報が入力された場合、提供中の前記チャプターをスキップし、前記コンテンツのうちで前記特徴量が上位にある他の前記チャプターを提供することを特徴とするコンテンツサーバ装置である。
【００１３】
また、本発明の一態様は、コンテンツのチャプター毎に特徴量を定める設定部と、前記チャプター毎に定められた前記特徴量に基づいて、前記特徴量のグラフを生成する生成部と、前記コンテンツと、前記特徴量のグラフと、を提供させる提供部と、を有するコンテンツサーバ装置から、前記コンテンツを示す情報と、前記特徴量のグラフを示す情報と、を受信する通信部と、受信した前記コンテンツと、受信した前記特徴量のグラフと、を提供するコンテンツ提供部と、を備えることを特徴とするコンテンツ提供装置である。
【００１４】
また、本発明の一態様は、コンテンツのチャプター毎に特徴量を定める設定部と、前記チャプター毎に定められた前記特徴量に基づいて、前記特徴量のグラフを生成する生成部と、前記コンテンツを示す情報と、前記特徴量のグラフを示す情報と、を送信する提供部と、前記コンテンツを示す情報と、前記特徴量のグラフを示す情報と、を受信する通信部と、受信した前記コンテンツと、受信した前記特徴量のグラフと、を提供するコンテンツ提供部と、を備えることを特徴とするコンテンツ提供システムである。
【００１５】
また、本発明の一態様は、コンテンツサーバ装置におけるコンテンツ提供方法であって、設定部が、コンテンツのチャプター毎に特徴量を定めるステップと、生成部が、前記チャプター毎に定められた前記特徴量に基づいて、前記特徴量のグラフを生成するステップと、提供部が、前記コンテンツと、前記特徴量のグラフと、を提供するステップと、を有することを特徴とするコンテンツ提供方法である。
【００１６】
また、本発明の一態様は、コンテンツサーバ装置のコンピュータに、コンテンツのチャプター毎に特徴量を定める手順と、前記チャプター毎に定められた前記特徴量に基づいて、前記特徴量のグラフを生成する手順と、前記コンテンツと、前記特徴量のグラフと、を提供する手順と、を実行させるためのコンテンツ提供プログラムである。
【発明の効果】
【００１７】
本発明によれば、提供部は、コンテンツと、コンテンツのチャプター毎に定められた特徴量のグラフと、を提供する。これにより、コンテンツサーバ装置、コンテンツ提供装置、コンテンツ提供システム、コンテンツ提供方法、及びコンテンツ提供プログラムは、盛況度が高い箇所であるか否かがユーザにとって一目瞭然となるように、コンテンツを提供することができる。
【図面の簡単な説明】
【００１８】
【図１】本発明の第１実施形態における、コンテンツ提供システムの構成例を示すブロック図である。
【図２】本発明の第１実施形態における、作品紹介画像からの画像の遷移例を示す図である。
【図３】本発明の第１実施形態における、ポップアップ画像の例を示す図である。
【図４】本発明の第１実施形態における、コンテクストメニュー画像の例を示す図である。
【図５】本発明の第１実施形態における、ソーシャルモード画像の例を示す図である。
【図６】本発明の第１実施形態における、アイコン画像を選択するためのアイコン選択画像の例を示す図である。
【図７】本発明の第１実施形態における、ソーシャルモード画像の遷移例を示す図である。
【図８】本発明の第１実施形態における、所定閾値以上の特徴量を示すチャプターが無い場合のソーシャルモード画像の例を示す図である。
【図９】本発明の第１実施形態における、盛り上がり度グラフの生成手順の例を示す図である。
【図１０】本発明の第１実施形態における、チャプターの生成手順の例を示す図である。
【図１１】本発明の第１実施形態における、所定閾値以上の特徴量を示すチャプターが１０件未満である場合のソーシャルモード画像の例を示す図である。
【図１２】本発明の第１実施形態における、所定閾値以上の特徴量を示すチャプターが１０件である場合のソーシャルモード画像の例を示す図である。
【図１３】本発明の第１実施形態における、コンテンツサーバ装置の動作手順例を示すフローチャートである。
【図１４】本発明の第２実施形態における、コンテンツ提供システムの構成例を示すブロック図である。
【発明を実施するための形態】
【００１９】
［第１実施形態］
本発明の第１実施形態について図面を参照して詳細に説明する。図１には、コンテンツ提供システムの構成例が、ブロック図により示されている。コンテンツ提供システム６００は、ソーシャル・ビデオオンデマンド（Ｓｏｃｉａｌ  ＶＯＤ：Ｓｏｃｉａｌ  Ｖｉｄｅｏ Ｏｎ Ｄｅｍａｎｄ）のサービスとして、コンテンツ（例えば、動画コンテンツ、音楽コンテンツ）と、コンテンツのチャプター毎に定められた特徴量のグラフとを提供する。
【００２０】
コンテンツ提供システム６００は、盛況度が高い箇所であるか否かがユーザにとって一目瞭然となるように、コンテンツを提供することができる。また、コンテンツ提供システム６００は、同じソーシャルに属する他のユーザと一緒にコンテンツを視聴しているかのような臨場感及び一体感を、ユーザに演出することができる。
【００２１】
コンテンツ提供システム６００は、操作装置１０ａと、コンテンツ提供装置３０と、表示装置４０と、中継装置２０と、コンテンツサーバ装置２００と、電子機器３００とを備える。ここで、操作装置１０ａ、中継装置２０、コンテンツ提供装置３０、及び、表示装置４０は、同一の宅内１００ａに備えられてもよい。
【００２２】
まず、操作装置１０ａ及びコンテンツ提供装置３０の構成例について説明する。
操作装置１０ａは、コンテンツ提供装置３０を遠隔操作（リモートコントロール）する装置である。操作装置１０ａは、操作部１１と、通信部１２とを備える。
【００２３】
操作部１１は、ユーザによる操作入力を受け付け、操作入力に応じた情報を通信部１２に出力する。操作部１１は、操作入力を受け付けるための操作手段、例えば、再生ボタン、停止ボタン、正方向早送り再生ボタン、逆方向早送り再生ボタン、正方向スキップ再生ボタン、逆方向スキップ再生ボタン、決定ボタン、戻るボタン、メニューボタン、赤ボタン（赤色のボタン）、青ボタン（青色のボタン）、及び、方向ボタン（上ボタン、下ボタン、左ボタン、右ボタン）を備える。
【００２４】
ユーザは、操作装置１０ａの方向ボタンを操作することにより、表示装置４０の画面に表示されたカーソルを、移動させることができる。また、ユーザは、操作装置１０ａを操作することにより、コンテンツ提供装置３０を介してコンテンツサーバ装置２００に、スタンプを示す識別情報を投稿することができる。例えば、ユーザは、操作装置１０を操作することにより、文字列を表示する吹き出し型スタンプを示す識別情報を投稿することができる。また、ユーザは、操作装置１０ａを操作することにより、自らを示すアイコン画像（例えば、顔が描かれた画像）を選択することができる。なお、選択したアイコン画像は、コンテンツを視聴している期間のみ有効とされてもよい。
【００２５】
通信部１２は、操作入力に応じた情報を、コンテンツ提供装置３０に送信する。通信部１２は、操作入力に応じた情報を、所定の通信規格（例えば、赤外線を用いる通信規格）により送信する。
【００２６】
コンテンツ提供装置３０（セットトップボックス）（ＳＴＢ：Ｓｅｔ Ｔｏｐ Ｂｏｘ）は、通信部３１と、コンテンツ提供部３２と、記憶部３３とを備える。通信部３１は、操作入力に応じた情報を、操作装置１０ａの通信部１２から受信する。通信部３１は、操作入力に応じた情報を、コンテンツ提供部３２に転送する。
【００２７】
通信部３１には、コンテンツの内容を示す情報と、コンテンツのチャプター（ソーシャル・チャプター）毎に定められた特徴量のグラフを示す情報とが、通信回線４００及び中継装置２０を介して、コンテンツサーバ装置２００から入力される。ここで、特徴量は、同じソーシャルに属するユーザにより定まる特徴量であり、例えば、コンテンツの視聴したユーザによるコメントの投稿数、コンテンツの視聴したユーザによるスタンプの投稿数である。コンテンツのチャプター毎に定められた特徴量のグラフの詳細については、図９を用いて後述する。
【００２８】
通信部３１には、コンテンツ提供部３２から、所定の情報が入力される。通信部３１は、入力された当該所定の情報を、中継装置２０を介してコンテンツサーバ装置２００に送信する。当該所定の情報は、例えば、スタンプを示す識別情報、コンテンツの送信を要求するための送信要求情報、コンテンツを変速再生又はスキップ再生させるための操作情報、及び、コンテンツ提供装置３０を示す識別情報である。また、例えば、通信部３１は、操作入力に応じた情報を、コンテンツ提供部３２による制御に応じて、中継装置２０を介してコンテンツサーバ装置２００に送信する。
【００２９】
記憶部３３は、各種の情報を記憶する。当該各種の情報は、例えば、スタンプ画像情報、アイコン画像情報、テキスト情報、及び、プログラム情報である。記憶部３３は、コンテンツ提供部３２から要求された当該各種の情報を、コンテンツ提供部３２に出力する。
【００３０】
コンテンツ提供部３２には、当該各種の情報が、記憶部３３から入力される。コンテンツ提供部３２は、記憶部３３に記憶されたプログラム情報に基づいて、動作してもよい。コンテンツ提供部３２には、通信部３１により受信されたコンテンツの内容を示す情報と、通信部３１により受信されたコンテンツのチャプター毎に定められた特徴量のグラフを示す情報とが、通信部３１から入力される。コンテンツ提供部３２は、通信部３１により受信されたコンテンツの内容と、通信部３１により受信されたコンテンツのチャプター毎に定められた特徴量のグラフとを、表示装置４０に表示させる。これらの表示形態の詳細については、図８、図１１及び図１２を用いて後述する。
【００３１】
コンテンツ提供部３２には、スタンプ画像情報、アイコン画像情報、及び、電子機器３００のユーザが投稿したコメントを示すテキスト情報に基づくコメント画像情報が、通信部３１から入力される。コンテンツ提供部３２は、スタンプ画像、アイコン画像、及び、電子機器３００のユーザが投稿したコメントを示すテキスト情報に基づくコメント画像を、表示装置４０に表示させる。
【００３２】
コンテンツ提供部３２は、予め定められた操作入力（例えば、正方向スキップ再生ボタンの操作入力）を示す情報が入力された場合、コンテンツサーバ装置２００が提供中のチャプターをスキップし、コンテンツのうちで特徴量が上位にある他のチャプターを提供するよう、操作入力に応じた情報を通信部３１に送信する。
【００３３】
表示装置４０（提示装置）は、コンテンツ提供部３２による制御に基づいて、コンテンツの内容に応じた動画と、コンテンツのチャプター毎に定められた特徴量のグラフとを、画面に表示する。表示装置４０は、スタンプ画像（例えば、吹き出し型スタンプ画像）、アイコン画像、及び、電子機器３００のユーザが投稿したコメントを示すテキスト情報に基づくコメント画像を、画面に表示してもよい。また、表示装置４０は、スピーカを有していてもよい。表示装置４０は、コンテンツの内容に応じた音を、スピーカから出力してもよい。
【００３４】
中継装置２０（アクセスポイント）は、コンテンツ提供装置３０の通信部３１と、コンテンツサーバ装置２００との間の通信を、通信回線４００を介して中継する。ここで、中継装置２０は、有線又は無線の通信規格により通信を中継してもよい。
【００３５】
電子機器３００は、宅内１００ａとは異なる宅内（例えば、コンテンツ提供装置３０のユーザと同じソーシャルに属する他のユーザの宅内）に備えられてもよい。また、電子機器３００の構成は、操作装置１０ａ、中継装置２０、コンテンツ提供装置３０、及び、表示装置４０と同じ構成を含んでいてもよい。電子機器３００は、通信回線４００を介して、コンテンツサーバ装置２００と通信する。例えば、電子機器３００は、通信回線４００を介してコンテンツサーバ装置２００に、コメントを示すテキスト情報を投稿する。なお、電子機器３００は、複数でもよい。
【００３６】
次に、表示装置４０に表示される画像の遷移例について説明する。
図２には、作品紹介画像からの画像の遷移例が示されている。作品紹介画像は、動画コンテンツを紹介するための画像である。コンテンツサーバ装置２００は、操作入力に応じた情報に基づいて表示装置４０に表示される画像が遷移するよう、コンテンツの内容を示す情報を生成する。コンテンツ提供部３２は、コンテンツサーバ装置２００により生成されたコンテンツの内容を示す情報に基づいて、表示装置４０に画像を表示させる。
【００３７】
具体的には、作品紹介画像１０００には、キー画像の一つとして、視聴キーが表示されている。作品紹介画像１０００が表示されている状態で、視聴キーが押下された場合、コンテンツ提供部３２は、ポップアップ画像１１００を、表示装置４０に表示させる。
【００３８】
図３には、ポップアップ画像の例が示されている。ポップアップ画像１１００には、操作を案内するための文字列を示す画像「ソーシャル視聴確認  本作品はソーシャル視聴に対応しています。再生モードを選択してください。」が表示されている。また、ポップアップ画像１１００には、再生モードを選択させるためのキー画像として、ソーシャル視聴キー画像１１１０と、通常視聴キー画像１１２０とが表示されている。
【００３９】
図２に戻り、画像の遷移例の説明を続ける。ポップアップ画像１１００が表示されている状態で、通常視聴キー画像１１２０が押下された場合、コンテンツ提供部３２は、通常視聴画像１２００（ビデオスクリーン）、すなわち、受信したコンテンツの内容が示す動画コンテンツを、全画面で表示装置４０に表示させる。一方、ポップアップ画像１１００が表示されている状態で、ソーシャル視聴キー画像１１１０が押下された場合、コンテンツ提供部３２は、ソーシャルモード画像１４００を、表示装置４０に表示させる。
【００４０】
通常視聴画像１２００が表示されている状態で、メニューボタンが押下された場合、コンテンツ提供部３２は、コンテクストメニュー画像１３００を、表示装置４０に表示させる。一方、通常視聴画像１２００が表示されている状態で、赤ボタンが押下された場合、コンテンツ提供部３２は、ソーシャルモード画像１４００を、表示装置４０に表示させる。ソーシャルモード画像１４００の詳細については、図５〜図８、図１１及び図１２を用いて後述する。
【００４１】
図４には、コンテクストメニュー画像の例が示されている。コンテクストメニュー画像１３００には、ソーシャルモード画像を表示させるためのソーシャルモードキー画像１３１０が、コンテクストメニューの一つとして表示されている。
【００４２】
図２に戻り、画像の遷移例の説明を続ける。コンテクストメニュー画像１３００が表示されている状態で、ソーシャルモードキー画像１３１０が押下された場合、コンテンツ提供部３２は、ソーシャルモード画像１４００を、表示装置４０に表示させる。
【００４３】
図５には、ソーシャルモード画像の例が示されている。ソーシャルモード画像１４００には、その一部（図５では、一例として、左上）に、コンテンツの内容に応じた動画が表示されている。また、ソーシャルモード画像１４００には、アイコン選択キー画像１４１１と、アイコン選択領域１４１２と、スタンプ選択キー画像１４１３と、スタンプ履歴選択キー画像１４１４と、吹き出し型スタンプ選択キー画像１４１５とが表示されている。吹き出し型スタンプ選択キー画像１４１５は、文字列を表示する吹き出し型スタンプ画像の候補を表示させるためのキー画像である。また、ソーシャルモード画像１４００には、下キー画像１４２１と、上キー画像１４３１とが表示されている。
【００４４】
また、図５では、ソーシャルモード画像１４００には、アイコン画像２０００、アイコン画像２１００、アイコン画像２２００、スタンプ画像３０００、スタンプ画像３１００、及び、コメント画像４０００が、タイムライン表示領域に、タイムラインに従って表示されている。
【００４５】
ここで、スタンプ画像３０００、スタンプ画像３１００、及び、コメント画像４０００は、電子機器３００のユーザによって、コンテンツサーバ装置２００（図１を参照）に投稿された画像である。また、スタンプ画像３０００、スタンプ画像３１００、及び、コメント画像４０００は、コンテンツ提供装置３０のユーザによって、コンテンツサーバ装置２００に投稿された画像でもよい。
【００４６】
図２に戻り、画像の遷移例の説明を続ける。ソーシャルモード画像１４００が表示されている状態で、赤ボタンが押下された場合、コンテンツ提供部３２は、通常視聴画像１２００を、表示装置４０に表示させる。また、ソーシャルモード画像１４００が表示されている状態で、メニューボタンが押下された場合、コンテンツ提供部３２は、コンテクストメニュー画像１３００を、表示装置４０に表示させる。また、ソーシャルモード画像１４００が表示されている状態で、停止ボタン又は戻るボタンが押下された場合、コンテンツ提供部３２は、作品紹介画像１０００を、表示装置４０に表示させる。
【００４７】
ソーシャルモード画像１４００が表示されている状態で、カーソルがアイコン選択キー画像１４１１に合わされ、決定ボタンが押下された場合、コンテンツ提供部３２は、ソーシャルモード画像の一形態としてのアイコン選択画像１４１０を、表示装置４０に表示させる。
【００４８】
図６には、アイコン画像を選択するためのアイコン選択画像の例が示されている。アイコン選択画像１４１０には、コンテンツの内容に応じた動画が表示されている。アイコン選択画像１４１０には、アイコン選択キー画像１４１１が、フォーカス表示されている。また、アイコン選択画像１４１０には、アイコン選択領域１４１２と、スタンプ選択キー画像１４１３と、スタンプ履歴選択キー画像１４１４と、吹き出し型スタンプ選択キー画像１４１５とが表示されている。また、アイコン選択領域１４１２には、複数のアイコン画像が選択可能に表示されている。
【００４９】
図２に戻り、画像の遷移例の説明を続ける。ソーシャルモード画像１４００が表示されている状態で、下ボタンが押下された場合、コンテンツ提供部３２は、ソーシャルモード画像の一形態としての下キー・フォーカス画像１４２０を、表示装置４０に表示させる。下キー・フォーカス画像１４２０では、下キー画像１４２１（例えば、図５を参照）が、フォーカス表示される。
【００５０】
下キー・フォーカス画像１４２０が表示されている状態で、上ボタンが押下された場合、コンテンツ提供部３２は、ソーシャルモード画像１４００を、表示装置４０に表示させる。また、下キー・フォーカス画像１４２０が表示されている状態で、右ボタンが押下された場合、コンテンツ提供部３２は、上キー・フォーカス画像１４３０を、表示装置４０に表示させる。上キー・フォーカス画像１４３０では、上キー画像１４３１（例えば、図５を参照）が、フォーカス表示される。また、下キー・フォーカス画像１４２０が表示されている状態で、停止ボタン又は戻るボタンが押下された場合、コンテンツ提供部３２は、作品紹介画像１０００を、表示装置４０に表示させる。
【００５１】
上キー・フォーカス画像１４３０が表示されている状態で、左ボタンが押下された場合、コンテンツ提供部３２は、下キー・フォーカス画像１４２０を、表示装置４０に表示させる。また、上キー・フォーカス画像１４３０が表示されている状態で、停止ボタン又は戻るボタンが押下された場合、コンテンツ提供部３２は、作品紹介画像１０００を、表示装置４０に表示させる。
【００５２】
アイコン選択画像１４１０が表示されている状態で、カーソルがアイコン選択キー画像１４１１に合わされ、決定ボタンが押下された場合、又は、カーソルがアイコン選択領域１４１２のアイコン画像（例えば、図６を参照）に合わされ、決定ボタンが押下された場合、コンテンツ提供部３２は、ソーシャルモード画像１４００を、表示装置４０に表示させる。また、アイコン選択画像１４１０が表示されている状態で、停止ボタン又は戻るボタンが押下された場合、コンテンツ提供部３２は、作品紹介画像１０００を、表示装置４０に表示させる。
【００５３】
図７には、ソーシャルモード画像の遷移例が示されている。ソーシャルモード画像１４００−１が表示されている状態で、カーソルがアイコン選択キー画像１４１１（例えば、図５を参照）に合わされ、決定ボタンが押下された場合、コンテンツ提供部３２は、アイコン選択画像１４１０−１を、表示装置４０に表示させる。
【００５４】
ソーシャルモード画像１４００−１が表示されている状態で、カーソルがアイコン選択キー画像１４１１（例えば、図５を参照）に合わされ、決定ボタンが押下された場合、コンテンツ提供部３２は、アイコン選択画像１４１０を、表示装置４０に表示させる。
【００５５】
ソーシャルモード画像１４００−１が表示されている状態で、カーソルがスタンプ選択キー画像１４１３（例えば、図５を参照）に合わされ、決定ボタンが押下された場合、コンテンツ提供部３２は、アイコン画像が未選択であるか否かを判定する。アイコン画像が未選択である場合（Ｙｅｓ）、コンテンツ提供部３２は、アイコン選択画像１４１０−２を、表示装置４０に表示させる。一方、アイコン画像が未選択でない場合（Ｎｏ）、コンテンツ提供部３２は、スタンプ選択画像１４４０を、表示装置４０に表示させる。
【００５６】
ソーシャルモード画像１４００−１が表示されている状態で、カーソルがスタンプ履歴選択キー画像１４１４（例えば、図５を参照）に合わされ、決定ボタンが押下された場合、コンテンツ提供部３２は、アイコン画像が未選択であるか否かを判定する。アイコン画像が未選択である場合（Ｙｅｓ）、コンテンツ提供部３２は、アイコン選択画像１４１０−３を、表示装置４０に表示させる。一方、アイコン画像が未選択でない場合（Ｎｏ）、コンテンツ提供部３２は、スタンプ履歴選択画像１４５０を、表示装置４０に表示させる。
【００５７】
アイコン選択画像１４１０−１が表示されている状態で、カーソルがアイコン選択領域１４１２のアイコン画像（例えば、図６を参照）に合わされ、決定ボタンが押下された場合、コンテンツ提供部３２は、ソーシャルモード画像１４００−２を、表示装置４０に表示させる。一方、アイコン選択画像１４１０−１が表示されている状態で、カーソルがアイコン選択キー画像１４１１（例えば、図６を参照）に合わされ、決定ボタンが押下された場合、コンテンツ提供部３２は、ソーシャルモード画像１４００−１を、表示装置４０に表示させる。
【００５８】
アイコン選択画像１４１０−２が表示されている状態で、カーソルがアイコン選択領域１４１２のアイコン画像（例えば、図６を参照）に合わされ、決定ボタンが押下された場合、コンテンツ提供部３２は、スタンプ選択画像１４４０を、表示装置４０に表示させる。一方、アイコン選択画像１４１０−２が表示されている状態で、カーソルがアイコン選択キー画像１４１１（例えば、図６を参照）に合わされ、決定ボタンが押下された場合、コンテンツ提供部３２は、ソーシャルモード画像１４００−１を、表示装置４０に表示させる。
【００５９】
アイコン選択画像１４１０−３が表示されている状態で、カーソルがアイコン選択領域１４１２のアイコン画像（例えば、図６を参照）に合わされ、決定ボタンが押下された場合、コンテンツ提供部３２は、スタンプ履歴選択画像１４５０を、表示装置４０に表示させる。一方、アイコン選択画像１４１０−３が表示されている状態で、カーソルがアイコン選択キー画像１４１１（例えば、図６を参照）に合わされ、決定ボタンが押下された場合、コンテンツ提供部３２は、ソーシャルモード画像１４００−１を、表示装置４０に表示させる。
【００６０】
スタンプ選択画像１４４０が表示されている状態で、カーソルがスタンプ選択領域に表示されたスタンプ画像に合わされ、決定ボタンが押下された場合、コンテンツ提供部３２は、ソーシャルモード画像１４００−２を、表示装置４０に表示させる。一方、スタンプ選択画像１４４０が表示されている状態で、カーソルがスタンプ選択キー画像１４１３（例えば、図５を参照）に合わされ、決定ボタンが押下された場合、コンテンツ提供部３２は、ソーシャルモード画像１４００−１を、表示装置４０に表示させる。
【００６１】
スタンプ履歴選択画像１４５０が表示されている状態で、カーソルがスタンプ選択領域に投稿履歴として表示されたスタンプ画像に合わされ、決定ボタンが押下された場合、コンテンツ提供部３２は、ソーシャルモード画像１４００−２を、表示装置４０に表示させる。一方、スタンプ履歴選択画像１４５０が表示されている状態で、カーソルがスタンプ履歴選択キー画像１４１４（例えば、図５を参照）に合わされ、決定ボタンが押下された場合、コンテンツ提供部３２は、ソーシャルモード画像１４００−１を、表示装置４０に表示させる。
【００６２】
次に、図１に戻り、コンテンツサーバ装置２００の構成例について説明する。
コンテンツサーバ装置２００は、設定部２１０と、生成部２２０と、提供部２３０と、付加部２４０と、記憶部２５０とを備える。
【００６３】
記憶部２５０は、所定の情報を記憶する。当該所定の情報は、例えば、スタンプ画像情報、アイコン画像情報、キー画像情報、作品紹介画像情報、ポップアップ画像情報、コンテクストメニュー情報、アイコン選択画像情報、スタンプ選択画像情報、スタンプ履歴選択情報、テキスト情報、及び、プログラム情報である。また、記憶部２５０は、コンテンツ（例えば、動画コンテンツ、音楽コンテンツ）の内容を示す情報を記憶する。また、記憶部２５０は、コンテンツ提供装置３０を示す識別情報、及び、電子機器３００を示す識別情報などの装置（機器）識別情報を記憶してもよい。記憶部２５０は、提供部２３０から要求された当該所定の情報を、提供部２３０に出力する。
【００６４】
設定部２１０は、コンテンツの再生時間を分割（例えば、１００等分）することにより、コンテンツにチャプターを定める。また、設定部２１０は、コンテンツのチャプター毎に特徴量を定める。ここで、特徴量は、例えば、盛り上がり度を示す量である。より具体的には、特徴量は、例えば、コメントの投稿数、スタンプの投稿数である。
【００６５】
生成部２２０は、チャプター毎の特徴量（例えば、チャプター毎のコメントの投稿数）のうち、最上位の特徴量（例えば、最多の投稿数）を検出する。また、生成部２２０は、チャプター毎の特徴量に基づいて、最上位の特徴量を示したチャプターを検出する。
【００６６】
生成部２２０は、チャプター毎に定められた特徴量に基づいて、特徴量のグラフを生成する。生成部２２０は、所定閾値以上の特徴量に基づいて、特徴量のグラフを生成する。ここで、生成部２２０は、コンテンツのうちで最上位の特徴量（例えば、最多の投稿数）に基づいて、特徴量のグラフの縦軸の長さの上限値を定めてもよい。また、生成部２２０は、検出した最多の投稿数と、特徴量のグラフの縦軸の長さの上限値とが等しくなるように、特徴量のグラフの縦軸の長さを定める。
【００６７】
付加部２４０は、特徴量のグラフにおける、コンテンツの再生中（提供中）の位置に、画像を付加する。また、付加部２４０は、コンテンツのうちで特徴量が上位にある（例えば、投稿数が上位にある）チャプターを示す画像を、特徴量のグラフに付加する。ここで、付加部２４０は、投稿数が上位にあるチャプターが、投稿数が上位にないチャプターとは異なる態様（例えば、色違い）で表示されるよう、特徴量のグラフに、特徴量が上位にあるチャプターを示す画像を付加してもよい。
【００６８】
提供部２３０は、コンテンツと、特徴量のグラフとを提供する。より具体的には、提供部２３０は、コンテンツの内容を示す情報と、特徴量のグラフを示す情報とを、中継装置２０を介して、コンテンツ提供装置３０に送信する。以下では、特徴量のグラフは、一例として、盛り上がり度グラフであるものとして説明を続ける。また、提供部２３０は、アイコン画像情報と、スタンプ画像情報と、電子機器３００から投稿されたコメントを示すテキスト情報に基づくコメント画像情報とを、中継装置２０を介して、コンテンツ提供装置３０に送信する。
【００６９】
図８には、所定閾値以上の特徴量を示すチャプターが無い場合のソーシャルモード画像の例が示されている。ソーシャルモード画像には、コンテンツの再生中の位置を示すチャプター位置表示画像５２００が、盛り上がり度グラフ表示領域５０００に表示されている。図８では、盛り上がり度グラフ表示領域５０００は、一例として、コンテンツの内容に応じた動画の下側、且つ、ソーシャルモード画像の左側に定められている。
【００７０】
コンテンツサーバ装置２００から初めて送信されたコンテンツに対しては、コメント及びスタンプの投稿は、コンテンツサーバ装置２００に蓄積されていない。このような場合、生成部２２０は、盛り上がり度グラフを生成しない。また、提供部２３０は、予め定められた操作入力（例えば、正方向スキップ再生ボタンの操作、逆方向スキップ再生ボタンの操作入力）を示す情報が入力されても、チャプター（ソーシャル・チャプター）間を移動するスキップ再生（チャプター送り、チャプター戻し）を実行しない。
【００７１】
図９には、盛り上がり度グラフの生成手順の例が示されている。設定部２１０は、コンテンツの再生時間（収録時間）を１００等分することにより、コンテンツにチャプターを定めてもよい。また、生成部２２０は、チャプター（等分された再生時間帯）毎のコメントの投稿数のうち、最多の投稿数を示したチャプターを検出してもよい。
【００７２】
生成部２２０は、検出した最多の投稿数と、盛り上がり度グラフの縦軸の長さの上限値とが等しくなるように、盛り上がり度グラフの縦軸の長さを定める。また、生成部２２０は、盛り上がり度グラフを定めるドットとして、投稿数を示すドットを、チャプター毎にプロットする。
【００７３】
生成部２２０は、所定閾値以上の投稿数を示すドット、例えば、値０以外の投稿数を示すドット（図９の最下段では、破線で囲まれた領域以外のドット）を、時間軸順（時系列）に繋ぐことにより、盛り上がり度グラフを生成する。
【００７４】
図１０には、チャプターの生成手順の例が示されている。設定部２１０（図１を参照）は、コンテンツの再生時間（収録時間）を１００等分することにより、コンテンツにチャプターを定めてもよい。生成部２２０（図１を参照）は、チャプター（等分された再生時間帯）毎の特徴量を検出し、特徴量が上位を示したチャプター（ソーシャル・チャプター）を順位付けする。例えば、生成部２２０は、チャプター毎のコメントの投稿数を検出し、投稿数が上位を示したチャプターを順位付けする。図１０では、一例として、１位から１０位までの１０件のチャプターが順位付けされている。
【００７５】
なお、特徴量が上位を示したチャプターが所定件数（例えば、１０件）未満である場合には、生成部２２０は、特徴量が上位を示した全てのチャプターに対して、当該所定件数未満の順位付けをすればよい。例えば、特徴量が上位を示したチャプターが９件しかない場合、生成部２２０は、特徴量が上位を示した９件のチャプターに対して、９位までの順位付けをすればよい。また、生成部２２０は、同率順位が発生した場合、コンテンツの再生時間（収録時間）における未来時刻に位置するチャプターを優先して、そのチャプターを上位に順位付けしてもよい。
【００７６】
提供部２３０（図１を参照）は、予め定められた操作入力（例えば、正方向スキップ再生ボタンの操作入力、逆方向スキップ再生ボタンの操作入力）を示す情報が入力された場合、特徴量が上位を示したチャプター（チャプター番号）間を移動するスキップ再生を実行する。
【００７７】
図１１には、所定閾値以上の特徴量を示すチャプターが１０件未満である場合のソーシャルモード画像の例が示されている。ソーシャルモード画像には、コンテンツの内容に基づく動画と、アイコン画像と、投稿されたコメントを示す画像と、投稿されたスタンプを示す画像とが表示されている。
【００７８】
ソーシャルモード画像には、所定の位置（図１１では、ソーシャルモード画像の動画の直下）に、盛り上がり度グラフ表示領域５０００が定められている。また、盛り上がり度グラフ表示領域５０００には、盛り上がり度グラフ５３００が表示される。
【００７９】
ここで、付加部２４０は、盛り上がり度グラフ５３００の折れ線上において、再生中の位置に、再生位置表示画像５１００（図１１では、丸印）を付加する。また、付加部２４０（図１を参照）は、特徴量が上位を示したチャプターが、他のチャプターとは異なる態様（例えば、色違い）で表示されるよう、盛り上がり度グラフ５３００に、チャプター位置表示画像５２００（図１１では、縦長の矩形）を付加する。図１１では、盛り上がり度グラフ５３００には、７個のチャプター位置表示画像５２００が付加されている。なお、付加部２４０は、再生中のチャプターが、他のチャプターとは異なる態様（例えば、明るさ違い）で表示されるよう、盛り上がり度グラフ５３００において再生中の位置に、他のチャプターとは異なる態様のチャプター位置表示画像５２００を付加してもよい。また、付加部２４０は、盛り上がり度グラフ５３００に、シークバーを示す画像を付加してもよい。
【００８０】
提供部２３０（図１を参照）は、予め定められた操作入力（例えば、正方向スキップ再生ボタンの操作入力、逆方向スキップ再生ボタンの操作入力）を示す情報が入力された場合、特徴量が上位を示したチャプター（チャプター番号）間を移動するスキップ再生を実行する。
【００８１】
具体的には、提供部２３０は、正方向スキップ再生ボタンの操作入力を示す情報が入力された場合、再生中のチャプターの位置から未来時刻（正方向）の位置にある、特徴量が上位を示したチャプターに、チャプター送りを実行することにより、スキップ再生を実行する。一方、提供部２３０は、逆方向スキップ再生ボタンの操作入力を示す情報が入力された場合、再生中のチャプターの位置から、過去時刻（逆方向）の位置にある、特徴量が上位を示したチャプターに、チャプター戻しを実行することにより、スキップ再生を実行する。なお、特徴量が上位を示すチャプターが移動先に無い場合、スキップ再生は実行されない。
【００８２】
図１２には、所定閾値以上の特徴量を示すチャプターが１０件である場合のソーシャルモード画像の例が示されている。図１２では、チャプター位置表示画像５２００の個数が異なる点のみが、図１１と相違する。具体的には、盛り上がり度グラフ５３００には、１０個のチャプター位置表示画像５２００が付加されている。特徴量が上位を示すチャプターが、１０個検出されたためである。
【００８３】
次に、コンテンツサーバ装置の動作手順例を説明する。
図１３は、コンテンツサーバ装置の動作手順例を示すフローチャートである。
（ステップＳ１）設定部２１０（図１を参照）は、コンテンツの再生時間（収録時間）を分割（例えば、１００等分）することにより、コンテンツ（例えば、動画コンテンツ、音楽コンテンツ）にチャプターを定める。
【００８４】
（ステップＳ２）生成部２２０（図１を参照）は、チャプター毎のコメントの投稿数（チャプター毎の特徴量）のうち、最多（最上位）の投稿数を検出する。
（ステップＳ３）生成部２２０は、検出した最多の投稿数と、盛り上がり度グラフ５３００の縦軸の長さの上限値とが等しくなるように、盛り上がり度グラフ５３００の縦軸の長さを定める。
【００８５】
（ステップＳ４）生成部２２０は、所定閾値以上（例えば、値１以上）の投稿数を示すドット（図９の最下段に示すグラフでは、破線で囲まれた領域以外のドット）を、時間軸順（時系列）に繋ぐことにより、盛り上がり度グラフ５３００を生成する。
【００８６】
（ステップＳ５）付加部２４０（図１を参照）は、投稿数が上位にあるチャプターが、投稿数が上位にないチャプターとは異なる態様で表示されるよう、盛り上がり度グラフ５３００に、チャプター位置表示画像５２００を付加する。
（ステップＳ６）付加部２４０は、盛り上がり度グラフ５３００における、コンテンツの再生中の位置に、再生位置表示画像５１００を付加する。
【００８７】
（ステップＳ７）提供部２３０（図１を参照）は、縦軸方向に定めた長さに基づいて盛り上がり度グラフ５３００を表示させるよう、盛り上がり度グラフ５３００を示す情報を、コンテンツ提供装置３０に送信する。また、提供部２３０は、盛り上がり度グラフ５３００に対応付けられたコンテンツの内容を示す情報を、コンテンツ提供装置３０に送信する。
【００８８】
以上のように、コンテンツサーバ装置２００は、コンテンツのチャプター毎に特徴量（例えば、コメントの投稿数、スタンプの投稿数）を定める設定部２１０と、チャプター毎に定められた特徴量に基づいて、特徴量のグラフ（例えば、盛り上がり度グラフ５３００）を生成する生成部２２０と、コンテンツ（例えば、動画コンテンツ、音楽コンテンツ）と、特徴量のグラフと、を提供する提供部２３０と、を備える。
【００８９】
コンテンツ提供装置３０は、コンテンツのチャプター毎に特徴量を定める設定部２１０と、チャプター毎に定められた特徴量に基づいて、特徴量のグラフを生成する生成部２２０と、コンテンツと、特徴量のグラフと、を提供させる提供部２３０と、を有するコンテンツサーバ装置から、コンテンツを示す情報と、特徴量のグラフを示す情報と、を受信する通信部３１と、受信したコンテンツと、受信した特徴量のグラフと、を提供するコンテンツ提供部３２と、を備える。
【００９０】
コンテンツ提供システム６００は、コンテンツのチャプター毎に特徴量を定める設定部２１０と、チャプター毎に定められた特徴量に基づいて、特徴量のグラフを生成する生成部２２０と、コンテンツを示す情報と、特徴量のグラフを示す情報と、を送信する提供部２３０と、コンテンツを示す情報と、特徴量のグラフを示す情報と、を受信する通信部３１と、受信したコンテンツと、受信した特徴量のグラフと、を提供するコンテンツ提供部３２と、を備える。
【００９１】
コンテンツ提供方法は、コンテンツサーバ装置２００におけるコンテンツ提供方法であって、設定部２１０が、コンテンツのチャプター毎に特徴量を定めるステップと、生成部２２０が、チャプター毎に定められた特徴量に基づいて、特徴量のグラフを生成するステップと、提供部２３０が、コンテンツと、特徴量のグラフと、を提供するステップと、を有する。
【００９２】
コンテンツ提供プログラムは、コンテンツサーバ装置２００のコンピュータに、コンテンツのチャプター毎に特徴量を定める手順と、チャプター毎に定められた特徴量に基づいて、特徴量のグラフを生成する手順と、コンテンツと、特徴量のグラフと、を提供する手順と、を実行させる。
【００９３】
この構成により、提供部２３０は、コンテンツと、コンテンツのチャプター毎に定められた特徴量のグラフと、を提供する。
これにより、コンテンツサーバ装置２００、コンテンツ提供装置３０、コンテンツ提供システム、コンテンツ提供方法、及びコンテンツ提供プログラムは、盛況度が高い箇所であるか否かがユーザにとって一目瞭然となるように、コンテンツを提供することができる。
【００９４】
つまり、他のユーザによるコメントの投稿数等に応じて、盛り上がり度グラフ５３００が更新されるので、コンテンツサーバ装置２００、コンテンツ提供装置３０、コンテンツ提供システム、コンテンツ提供方法、及びコンテンツ提供プログラムは、本当に盛況度が高い箇所であるか否かがユーザにとって一目瞭然となるように、コンテンツを提供することができる。また、スタンプ画像、コメントテキスト等がコンテンツ提供システムに蓄積されることにより、ユーザは、コンテンツの盛り上がり箇所（見所）を、一目瞭然で認識することができる。また、ユーザは、盛り上がったチャプター（盛況度が高い再生時間帯）まで、コンテンツをスキップ再生させることができるので、短時間で効率よくコンテンツを楽しむことができる。
【００９５】
また、コンテンツサーバ装置２００、コンテンツ提供装置３０、コンテンツ提供システム、コンテンツ提供方法、及びコンテンツ提供プログラムは、同じソーシャルに属する他のユーザと一緒にコンテンツを視聴しているかのような臨場感及び一体感を、ユーザに演出することができる。また、コンテンツサーバ装置２００、コンテンツ提供装置３０、コンテンツ提供システム、コンテンツ提供方法、及びコンテンツ提供プログラムは、コンテンツの視聴を促進させることができる。また、コンテンツサーバ装置２００、コンテンツ提供装置３０、コンテンツ提供システム、コンテンツ提供方法、及びコンテンツ提供プログラムは、ユーザが投稿した情報に基づいて、コンテンツを視聴したユーザの感情を、メタデータとして活用することができる。
【００９６】
また、生成部２２０は、所定閾値（例えば、閾値１）以上の特徴量（例えば、コメントの投稿数、スタンプの投稿数）に基づいて、特徴量のグラフ（例えば、盛り上がり度グラフ５３００）を生成してもよい。
この構成により、生成部２２０は、コメントの投稿数が少ないチャプター（再生時間帯）については、盛り上がり度グラフ５３００（例えば、折れ線グラフ）を繋がない。
これにより、コンテンツサーバ装置２００、コンテンツ提供装置３０、コンテンツ提供システム、コンテンツ提供方法、及びコンテンツ提供プログラムは、コンテンツの盛況感を、ユーザに演出することができる。
【００９７】
また、コンテンツサーバ装置２００は、コンテンツのうちで特徴量が上位にあるチャプター（例えば、最多の投稿数を示したチャプター）を示す画像を、特徴量のグラフに付加する付加部２４０を備えてもよい。
【００９８】
また、設定部２１０は、投稿数（例えば、コメントの投稿数、スタンプの投稿数）に基づいて、特徴量を定めてもよい。
【００９９】
また、設定部２１０は、コンテンツの再生時間を等分（例えば、１００等分）することにより、コンテンツにチャプターを定めてもよい。なお、チャプターの区切りは、コンテンツの内容に応じて変更されてもよい。例えば、設定部２１０は、動画コンテンツの出演者が話を終えていないシーンにチャプターの区切りを作らないように、チャプターの区切りを定めてもよい。
また、生成部２２０は、コンテンツのうちで最上位の特徴量（例えば、最多の投稿数）に基づいて、特徴量のグラフ（例えば、盛り上がり度グラフ５３００）の上限値を定めてもよい。
【０１００】
また、提供部２３０は、予め定められた操作入力を示す情報が入力された場合、提供中のチャプターをスキップし、コンテンツのうちで特徴量が上位にある他のチャプターを提供してもよい（正方向スキップ再生、逆方向スキップ再生）。
【０１０１】
なお、チャプターは、そのチャプターの再生開始時刻から所定時間だけ前の再生時刻（タイムスタンプ）から、再生が開始されてもよい。つまり、チャプターは、直前のチャプターのシーンを少しだけ再生してから、続けて再生されてもよい。
【０１０２】
［第２実施形態］
第２実施形態では、画像を表示する表示部を操作装置が有する点が、第１実施形態と相違する。第２実施形態では、第１実施形態との相違点についてのみ説明する。
【０１０３】
図１４には、コンテンツ提供システムの構成例が、ブロック図により示されている。コンテンツ提供システム６００は、操作装置１０ｂと、コンテンツ提供装置３０と、表示装置４０と、中継装置２０と、コンテンツサーバ装置２００と、電子機器３００と、中継サーバ５００とを備える。ここで、操作装置１０ｂ、中継装置２０、コンテンツ提供装置３０、及び、表示装置４０は、同一の宅内１００ｂに備えられてもよい。
【０１０４】
中継サーバ５００は、同一の宅内１００ｂに属する各装置の対応付けを示す識別情報（グループ情報）を記憶する。例えば、中継サーバ５００は、コンテンツ提供装置３０と操作装置１０ｂとの対応付けを示す識別情報を記憶する。中継サーバ５００は、操作入力に応じた情報と、操作装置１０ｂを識別するための識別情報とを、中継装置２０及び通信回線４００を介して、操作装置１０ｂから受信する。中継サーバ５００は、操作装置１０ｂを識別するための識別情報に基づいて、操作装置１０ｂに対応付けられているコンテンツ提供装置３０を識別する。中継サーバ５００は、操作装置１０ｂに対応付けられているコンテンツ提供装置３０に、通信回線４００及び中継装置２０を介して、操作入力に応じた情報を転送する。
【０１０５】
コンテンツサーバ装置２００の提供部２３０は、特徴量のグラフを示す情報と、キー画像情報と、アイコン画像情報と、スタンプ画像情報と、コメント画像情報とを、中継装置２０を介して、コンテンツ提供装置３０に送信する。ここで、コメント画像情報は、コンテンツ提供装置３０のユーザが投稿したコメントを示すテキスト情報に基づくコメント画像情報でもよいし、電子機器３００のユーザが投稿したコメントを示すテキスト情報に基づくコメント画像でもよい。
【０１０６】
中継装置２０は、特徴量のグラフ（盛り上がり度グラフ）を示す情報と、キー画像情報と、アイコン画像情報と、スタンプ画像情報と、コメント画像情報とを、操作装置１０ｂに転送する。
【０１０７】
操作装置１０ｂは、操作部１１と、通信部１２と、制御部１３と、表示部１４とを備える。ユーザは、操作装置１０ｂを操作することにより、中継装置２０を介してコンテンツサーバ装置２００に、コメントを示すテキスト情報を投稿することができる。通信部１２は、操作入力に応じた情報を、中継装置２０及び通信回線４００を介して、中継サーバ５００に送信する。通信部１２は、操作入力に応じた情報を、所定の通信規格（例えば、電波を用いる通信規格）により中継装置２０に送信する。通信部１２は、操作装置１０ｂを識別するための識別情報を、所定の通信規格により中継装置２０に送信する。操作装置１０ｂは、情報通信端末でもよい。
【０１０８】
制御部１３には、特徴量のグラフ（盛り上がり度グラフ）を示す情報と、キー画像情報と、アイコン画像情報と、スタンプ画像情報と、コメント画像情報とが、通信部１２から転送される。制御部１３は、特徴量のグラフ（盛り上がり度グラフ）と、キー画像と、アイコン画像と、スタンプ画像と、コメント画像とを、表示部１４に表示させる。
【０１０９】
表示部１４は、特徴量のグラフを表示する。また、表示部１４は、アイコン画像と、投稿されたコメントを示す画像と、投稿されたスタンプを示す画像とを、制御部１３による制御に応じて表示する。例えば、表示部１４は、コンテンツ提供装置３０のユーザが投稿したコメントを示すテキスト情報に基づくコメント画像を表示してもよいし、電子機器３００のユーザが投稿したコメントを示すテキスト情報に基づくコメント画像を表示してもよい。
【０１１０】
表示装置４０は、コンテンツ提供部３２による制御に基づいて、コンテンツの内容に応じた動画を、全画面で表示してもよい。
【０１１１】
以上、この発明の実施形態について図面を参照して詳述してきたが、具体的な構成はこの実施形態に限られるものではなく、この発明の要旨を逸脱しない範囲の設計等も含まれる。
【０１１２】
例えば、コンテンツサーバ装置２００の生成部２２０（図１を参照）は、再生されずにスキップされたか否かを示す信号を、コンテンツ提供装置３０から受信してもよい。また、生成部２２０は、再生されずにスキップされたチャプターを、再生されずにスキップされたか否かを示す信号に基づいて、コンテンツから抽出してもよい。また、生成部２２０は、再生されずにスキップされたチャプターについては、盛り上がり度グラフ５３００の特徴量（例えば、コメントの投稿数）の順位を下げるようにしてもよい。再生されずにスキップされたチャプターは、ユーザが視聴しても盛り上がらない（特徴量が低い）チャプターである、と推定できるからである。
【０１１３】
なお、上記に説明したコンテンツサーバ装置、コンテンツ提供装置、及び、コンテンツ提供システムを実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【０１１４】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１１５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【０１１６】
１０ａ…操作装置、１０ｂ…操作装置、１１…操作部、１２…通信部、１３…制御部、１４…表示部、２０…中継装置、３０…コンテンツ提供装置、３１…通信部、３２…コンテンツ提供部、３３…記憶部、４０…表示装置、１００ａ…宅内、１００ｂ…宅内、２００…コンテンツサーバ装置、２１０…設定部、２２０…生成部、２３０…提供部、２４０…付加部、２５０…記憶部、３００…電子機器、４００…通信回線、５００…中継サーバ装置、６００…コンテンツ提供システム、１０００…作品紹介画像、１１００…ポップアップ画像、１１１０…ソーシャル視聴キー画像、１１２０…通常視聴キー画像、１２００…通常視聴画像、１３００…コンテクストメニュー画像、１３１０…ソーシャルモードキー画像、１４００…ソーシャルモード画像、１４１０…アイコン選択キー画像、１４１１…アイコン選択キー画像、１４１２…アイコン選択領域、１４１３…スタンプ選択キー画像、１４１４…スタンプ履歴選択キー画像、１４１５…吹き出し型スタンプ選択キー画像、１４２０…下キー・フォーカス画像、１４２１…下キー画像、１４３０…上キー・フォーカス画像、１４３１…上キー画像、１４４０…スタンプ選択画像、１４５０…スタンプ履歴選択画像、２０００…アイコン画像、２１００…アイコン画像、２２００…アイコン画像、３０００…スタンプ画像、３１００…スタンプ画像、４０００…コメント画像、５０００…盛り上がり度グラフ表示領域、５１００…再生位置表示画像、５２００…チャプター位置表示画像、５３００…盛り上がり度グラフ
【図１】
2014207612.tif 000003
【図２】
2014207612.tif 000004
【図３】
2014207612.tif 000005
【図４】
2014207612.tif 000006
【図５】
2014207612.tif 000007
【図６】
2014207612.tif 000008
【図７】
2014207612.tif 000009
【図８】
2014207612.tif 000010
【図９】
2014207612.tif 000011
【図１０】
2014207612.tif 000012
【図１１】
2014207612.tif 000013
【図１２】
2014207612.tif 000014
【図１３】
2014207612.tif 000015
【図１４】
2014207612.tif 000016